(57)【要約】【課題】防湿性能の良い点火器組立体の提供。【解決手段】金属製カラー２０には、筒状突起部２４と筒状段差部２５が設けられている。射出成形後における樹脂３０の収縮は、界面５０では間隙を生じさせるが、逆に界面５１では筒状段差部２５を押圧して間隙を生じさせない。このため、連続した間隙の発生が防止されるので、湿気の侵入が防止される。【選択図】  図１
2004293835.tif 000002
【特許請求の範囲】
【請求項１】
点火器と点火器を外側から保持するための略円筒状の金属製カラーが、点火器と金属製カラー間に存在する樹脂により一体化されてなる点火器組立体であり、
略円筒状の金属製カラーが、カラー本体部から軸方向上側に延びた突起部と、カラー本体部から半径方向内側に延びた突起部の少なくとも一方を有し、突起部の少なくとも一部が樹脂と接しており、
略円筒状の金属製カラー外表面と樹脂外表面が、軸方向及び半径方向の少なくとも一方向において略面一となっている、点火器組立体。
【請求項２】
カラー本体部から軸方向上側に延びた突起部が円筒状突起部であり、カラー本体部から半径方向内側に延びた突起部が環状突起部である、請求項１記載の点火器組立体。
【請求項３】
金属製カラーが鉄又はアルミニウム製である、請求項１又は２記載の点火器組立体。
【請求項４】
点火器と点火器を外側から保持するための略円筒状の金属製カラーが、点火器と金属製カラー間に存在する樹脂により一体化されてなる点火器組立体であり、
前記略円筒状の金属製カラーが、少なくともカラー本体部から軸方向上側に延びた円筒状突起部を有しており、
前記円筒状突起部が、環状端面と外表面との接触部側が切り欠かれた筒状段差部又は環状斜面を有しており、
前記円筒状突起部の筒状段差部又は環状斜面と内表面が樹脂で被覆され、筒状段差部又は環状斜面を除く外表面が樹脂で被覆されておらず、
略円筒状の金属製カラー外表面と樹脂外表面が軸方向に略面一となっている、点火器組立体。
【請求項５】
金属製カラーが鉄製である、請求項４記載の点火器組立体。
【請求項６】
略円筒状の金属製カラーが、更にカラー本体部から半径方向内側に延びた環状突起部を有し、前記環状突起部の下面側に環状段差部又は環状斜面が設けられており、前記環状段差部又は環状斜面が樹脂で被覆されている、請求項４記載の点火器組立体。
【請求項７】
金属製カラーがアルミニウム製である、請求項６記載の点火器組立体。
【請求項８】
点火器と点火器を外側から保持するための略円筒状の金属製カラーが、点火器と金属製カラー間に存在する樹脂により一体化されてなる点火器組立体であり、
前記金属製カラーが、樹脂の射出成形手段による射出圧力を受けて僅かに変形するような強度を有するものであり、
前記樹脂が、射出成形手段により、点火器と金属製カラーとの間に充填されたものであり、
金属製カラーと樹脂との接触面におけるＪＩＳ  Ｚ２３３１で規定されたヘリウムリーク量が１×１０−６Ｐａ・ｍ３／ｓ（ａｉｒ換算）未満のものである、点火器組立体。
【請求項９】
金属製カラーが、カラー本体部から軸方向上側に延びた円筒状突起部、及びカラー本体部から半径方向内側に延びた環状突起部の少なくとも一方を有しており、円筒状突起部又は環状突起部が樹脂の射出成形手段による射出圧力を受けて僅かに変形するものである、請求項８記載の点火器組立体。
【請求項１０】
前記円筒状突起部が、環状端面と外表面との接触部側が切り欠かれた筒状段差部又は環状斜面を有しており、前記環状突起部が、下面側に環状段差部又は環状斜面を有しており、前記円筒状突起部又は前記環状突起部が樹脂の射出成形手段による射出圧力を受けて僅かに変形するものである、請求項９記載の点火器組立体。
【請求項１１】
金属製カラーがアルミニウム又はアルミニウム合金製であり、射出圧力９Ｍｐａ以上で僅かに変形するものである、請求項８〜１０のいずれかに記載の点火器組立体。
【請求項１２】
樹脂がポリアミド樹脂である、請求項１〜１１のいずれかに記載の点火器組立体。
【請求項１３】
請求項８〜１２のいずれか１記載の点火器組立体の製造方法であり、略円筒状の金属製カラーと点火器との間に樹脂を射出成形手段により充填するとき、射出圧力９ＭＰａ以上で充填した後、更に９ＭＰａ以上の保圧を維持しながら樹脂を硬化させる手段を含む、点火器組立体の製造方法。
【発明の詳細な説明】
【０００１】
【発明の属する技術分野】
本発明は、エアバッグ用ガス発生器に適用できる、点火器組立体及びその製造方法に関する。
【０００２】
【従来の技術】
エアバッグ用ガス発生器は、車両に搭載される乗員の安全確保用のエアバッグシステムに適用されるもので、作動時においてガス発生剤を着火燃焼させるための点火器組立体が取り付けられている。
【０００３】
点火器組立体は、点火薬を備えた点火器、点火器を保持するための金属製カラーを備えており、点火器と金属製カラーは、射出成形により点火器と金属製カラーの間に充填された樹脂で一体化されている。
【０００４】
射出成形直後の樹脂は溶融状態であるが、時間の経過と共に硬化する過程で収縮する結果、金属製カラーと樹脂との界面に間隙が生じることがある。このように間隙が生じた場合、外部雰囲気から湿気が侵入して、点火薬、伝火薬及びガス発生剤を吸湿させて燃焼性を阻害する恐れがある。
【０００５】
また、点火器組立体をエアバッグ用ガス発生器に組み込んだ場合、エアバッグ用ガス発生器の使用環境の温度変化に伴い、点火器組立体を構成する金属や樹脂が熱膨張と熱収縮を繰り返すことが考えられる。このような膨張及び収縮のサイクルが繰り返されたとき、金属と樹脂の熱膨張率の差も加わって、金属製カラーと樹脂との界面に間隙が生じる可能性も考えられる。
【０００６】
エアバッグ用ガス発生器には、車両の耐用年数である１０年以上もの間、確実に作動することが求められるため、点火薬、伝火薬及びガス発生剤が吸湿した場合、作動の確実性が確保できなくなる恐れがある。このため、点火器組立体内に湿気を侵入させないことは、非常に重要となる。
【０００７】
【特許文献１】
特開平１１−３２１５４１号公報
【０００８】
【発明が解決しようとする課題】
本発明は、自動車の乗員保護用のエアバッグシステムに使用するエアバッグ用ガス発生器に適用したとき、長期間にわたってエアバッグ用ガス発生器の作動の確実性を維持できる点火器組立体、及びその製造方法を提供することを課題とする。
【０００９】
【課題を解決するための手段】
請求項１の発明は、課題の解決手段として、点火器と点火器を外側から保持するための略円筒状の金属製カラーが、点火器と金属製カラー間に存在する樹脂により一体化されてなる点火器組立体であり、
略円筒状の金属製カラーが、カラー本体部から軸方向上側に延びた突起部と、カラー本体部から半径方向内側に延びた突起部の少なくとも一方を有し、突起部の少なくとも一部が樹脂と接しており、
略円筒状の金属製カラー外表面と樹脂外表面が、軸方向及び半径方向の少なくとも一方向において略面一となっている、点火器組立体を提供する。
【００１０】
金属製カラーの材質は特に制限されるものではないが、例えば、鉄製又はアルミニウム製のものが好ましい。鉄に替わるものとしてステンレスを用いても良いが、製造コスト面から鉄の方が好ましい。
【００１１】
また面一とすることで余分な樹脂を不要とし、点火器組立体の形状も単純化されるため、点火器組立体をエアバッグ用ガス発生器に取り付けるような場合には、エアバッグ用ガス発生器側の取付部位の形状を単純化できるほか、余分な空間が発生することもなくなるので好ましい。
【００１２】
請求項２の発明は、請求項１の発明において、カラー本体部から軸方向上側に延びた突起部が円筒状突起部であり、カラー本体部から半径方向内側に延びた突起部が環状突起部である点火器組立体を提供する。
【００１３】
軸方向上側に延びた突起部（円筒状突起部）及び半径方向内側に延びた突起部（環状突起部）の一方又は両方を有している場合、上記したとおり、金属製カラーと点火器との間に射出成形により充填された樹脂が、溶融状態から硬化する過程で収縮するとき、金属製カラー内面と樹脂との間に連続した間隙が生じさせないように作用（第１の作用）すると共に、充填した樹脂が金属製カラーから脱落しないように作用（第２の作用）する。
【００１４】
第１の作用は、主として軸方向上側に延びた突起部（円筒状突起部）及び半径方向内側に延びた突起部（環状突起部）により行われ、第２の作用は主として半径方向内側に延びた突起部（環状突起部）により行われる。
【００１５】
請求項４の発明は、課題の他の解決手段として、点火器と点火器を外側から保持するための略円筒状の金属製カラーが、点火器と金属製カラー間に存在する樹脂により一体化されてなる点火器組立体であり、
前記略円筒状の金属製カラーが、少なくともカラー本体部から軸方向上側に延びた円筒状突起部を有しており、
前記円筒状突起部が、環状端面と外表面との接触部側が切り欠かれた筒状段差部又は環状斜面を有しており、
前記円筒状突起部の筒状段差部又は環状斜面と内表面が樹脂で被覆され、筒状段差部又は環状斜面を除く外表面が樹脂で被覆されておらず、
略円筒状の金属製カラー外表面と樹脂外表面が軸方向に略面一となっている、点火器組立体を提供する。
【００１６】
金属製カラーの材質は特に制限されるものではないが、例えば、鉄製のものが好ましい。
【００１７】
上記発明のとおり、円筒状突起部が環状端面と外表面との接触部側が切り欠かれた筒状段差部又は環状斜面を有しているとき、筒状段差部又は環状斜面を樹脂で挟み込むような構造にできる。このため、射出後に樹脂が硬化する際、樹脂の収縮で筒状段差部又は環状斜面が強く挟み付けられることになり、金属製カラーと硬化後の樹脂との間に間隙が形成されるのを防ぐことができるので、特に上記した第１の作用がより高められる。
【００１８】
上記発明のとおり、円筒状突起部の筒状段差部又は環状斜面と内表面が樹脂で被覆され、筒状段差部又は環状斜面を除く外表面が樹脂で被覆されておらず、略円筒状の金属製カラー外表面と樹脂外表面が軸方向に略面一となっているとき、円筒状突起部を包み込むようにして樹脂で被覆した場合と比べると、１個の点火器組立体の製造に要する樹脂量を減少させることができるほか、請求項１の発明と同じ効果が得られる。
【００１９】
請求項６の発明は、請求項４の発明において、略円筒状の金属製カラーが、更にカラー本体部から半径方向内側に延びた環状突起部を有し、前記環状突起部の下面側に環状段差部又は環状斜面が設けられており、前記環状段差部又は環状斜面が樹脂で被覆されている点火器組立体を提供する。
【００２０】
なお、環状突起部の下面側に形成された環状段差部又は環状斜面、更に請求項４における環状段差部又は環状斜面は、切削加工法を適用して加工したとき、切削工具の形状（例えば、バイトの刃先の形状）により形成される円弧面（Ｒの付いた面）を有していても良い。円弧面の曲面状態は制限されず、Ｒ（曲率半径）が０．１〜０．５ｍｍ程度であっても良い。
【００２１】
金属製カラーの材質は特に制限されるものではないが、例えば、アルミニウム製のものが好ましい。
【００２２】
上記発明のとおり、環状突起部に下面側に環状段差部又は環状斜面が設けられているとき、特に上記した第１の作用がより高められるので好ましい。更に環状段差部又は環状斜面が樹脂で挟み付けられるため、上記した第２の作用も高められる。
【００２３】
請求項８の発明は、課題の他の解決手段として、点火器と点火器を外側から保持するための略円筒状の金属製カラーが、点火器と金属製カラー間に存在する樹脂により一体化されてなる点火器組立体であり、
前記金属製カラーが、樹脂の射出成形手段による射出圧力を受けて僅かに変形するような強度を有するものであり、
前記樹脂が、射出成形手段により、点火器と金属製カラーとの間に充填されたものであり、
金属製カラーと樹脂との接触面におけるＪＩＳ  Ｚ２３３１で規定されたヘリウムリーク量が１×１０−６Ｐａ・ｍ３／ｓ（ａｉｒ換算）未満のものである、点火器組立体を提供する。
【００２４】
樹脂を射出成形したとき、金属製カラーはその圧力を受けて僅かに変形するが、射出後、樹脂は硬化してその体積を僅かに収縮させる。このとき、金属製カラーが元の形状に戻ろうとするが、最初に僅かに変形しているため、元の形に戻っても（或いは元の形状に近い形状に戻っても）、樹脂と金属製カラーとの間には間隙が形成され難くなる。
【００２５】
上記各発明において、射出成形手段による射出圧力を受けて僅かに変形するとは、変形した金属製カラーが、形状、材質等により決定される復元力に基づき、元の形状に復元できる程度の変形であることを意味する。
【００２６】
請求項９の発明は、請求項８の発明において、金属製カラーが、カラー本体部から軸方向上側に延びた円筒状突起部、及びカラー本体部から半径方向内側に延びた環状突起部の少なくとも一方を有しており、円筒状突起部又は環状突起部が樹脂の射出成形手段による射出圧力を受けて僅かに変形するものである点火器組立体を提供する。
【００２７】
特に本発明では、第１の作用を発揮させるため、環状突起部が形成されていることが好ましい。
【００２８】
請求項１０の発明は、請求項９の発明において、前記円筒状突起部が、環状端面と外表面との接触部側が切り欠かれた筒状段差部又は環状斜面を有しており、前記環状突起部が、下面側に環状段差部又は環状斜面有しており、前記円筒状突起部又は前記環状突起部が樹脂の射出成形手段による射出圧力を受けて僅かに変形するものである点火器組立体を提供する。
【００２９】
上記各発明のとおり、金属製カラー（円筒状突起部及び環状突起部の少なくとも一方）が樹脂の射出成形手段による射出圧力を受けて僅かに変形するような強度を有するものであるとき、樹脂の射出成形時、金属製カラー（円筒状突起部及び環状突起部の少なくとも一方）は僅かに変形するが、変形後は変形状態から元に戻ろうとする力（復元力）が生じる。このため、前記復元力が樹脂の収縮により生じた間隙を塞ぐように作用するため、上記した第１の作用が発揮される。
【００３０】
請求項１１の発明は、請求項８〜１０のいずれかの発明において、金属製カラーがアルミニウム又はアルミニウム合金製であり、射出圧力９Ｍｐａ以上で僅かに変形するものである点火器組立体を提供する。
【００３１】
請求項１３の発明は、他の課題の解決手段として、請求項８〜１２のいずれか１記載の点火器組立体の製造方法であり、略円筒状の金属製カラーと点火器との間に樹脂を射出成形手段により充填するとき、射出圧力９ＭＰａ以上で充填した後、更に９ＭＰａ以上の保圧を維持しながら樹脂を硬化させる手段を含む、点火器組立体の製造方法を提供する。
【００３２】
樹脂を射出成形するときには、上記のとおり、金属製カラーが僅かに変形するが、保圧をかけておくことで、樹脂が収縮するときに縮んだ体積分だけ樹脂が供給されることになる。このため、金属製カラーと樹脂との間の接触状態が密になり、両者の間に間隙が形成されにくくなるため、第１の作用が発揮されやすくなる。
【００３３】
本発明において、金属製カラーと点火器を一体化する樹脂としては、成形収縮率が１％以下のものが望ましく、特に０．１〜０．８％のものが望ましい。成形収縮率が前記範囲内であると、金属製カラーと点火器の間に間隙が生じにくくなる。
【００３４】
本発明で用いる樹脂は、熱可塑性樹脂、熱硬化性樹脂のいずれでも良いが、射出成形性を考慮すれば熱可塑性樹脂であることが望ましく、更に必要に応じてガラス繊維、その他の無機充填材料を２０〜５０質量％程度含有させることもできる。
【００３５】
本発明で用いる樹脂は、線膨張率が８×１０−５／℃以下、引張強度が１００ＭＰａ以上、絶縁破壊電圧が１０ＭＶ／ｍ以上の樹脂を使用することが好ましい。特に引張強度は１７０ＭＰａ〜２５０ＭＰａ以下がより好ましい。
【００３６】
更に本発明で用いる樹脂は、防湿性を高める観点から、２３℃で２４時間浸水後における吸水率が、好ましくは０．００５〜０．５％、更に好ましくは０．００５〜０．３％のものであって、２３℃で２４時間浸水後における引張強度が、好ましくは７０〜２５０ＭＰａ、更に好ましくは１００〜２５０ＭＰａのものである。
【００３７】
本発明で用いる樹脂としては、ポリアミド樹脂（好ましくはナイロン６／１２）、ポリアリレート、ポリブチレンテレフタレート、ポリフェニレンサルファイド又は液晶ポリマーを挙げることができる。
【００３８】
【発明の実施の形態】
（１）実施の形態１
図１により、点火器組立体の一実施形態を説明する。図１は、点火器組立体の軸方向（縦方向）断面図である。
【００３９】
点火器組立体１は、点火器１０と点火器１０を外側から保持するための略円筒状の金属製カラー２０を有しており、点火器１０と金属製カラー２０との間には、樹脂３０が充填され、点火器１０と金属製カラー２０が一体化されている。
【００４０】
点火器１０は、点火薬を備えた点火部１２と、点火薬を着火燃焼させるに必要な電流を供給する経路となる２本の導電ピン１３、１４を有している。
【００４１】
金属製カラー２０は、最も外径の大きなカラー本体部２２、カラー本体部２２から軸方向上側に延びた円筒状突起部２４、カラー本体部２２から半径方向内側に延びた環状突起部２６、カラー本体部２２から軸方向下側に延びたスカート部２８を有している。このような金属製カラー２０は、鉄製又はアルミニウム製が好ましいが、ステンレス等の他の金属材料で代替することもできる。
【００４２】
金属製カラー２０の内径の大きさは、その内部に点火器１０を収容したとき、点火器１０と金属製カラー２０内面との間に樹脂３０が充填される間隙を確保できる程度の大きさである。
【００４３】
円筒状突起部２４は、外表面２４ａと環状端面２４ｂとの接触部側が切り欠かれ、段差底面２５ａと段差垂壁面２５ｂからなる筒状段差部２５を有している。環状端面２４ｂと段差底面２５ａは、半径方向に平行になるように、又は平行に近似するように形成されている。
【００４４】
筒状段差部２５の段差の大きさＨ（段差垂壁面２５ｂの高さＨ）は、０．２〜０．８ｍｍの範囲で設定することができる。
【００４５】
環状突起部２６は、下面側（空間４０側）が切り欠かれ、段差天井面２７ａと段差垂壁面２７ｂからなる環状段差部２７を有している。環状段差部２７の段差の大きさ（段差垂壁面２７ｂの高さ）は、環状段差部２７に樹脂が充填できる程度の間隔であれば良い。
【００４６】
樹脂３０は、金属製カラー２０内に点火器１０を挿入した状態で、射出成形手段により、充填されたものである。樹脂３０は、熱可塑性樹脂及び熱硬化性樹脂から選択することができるが、ポリアミド樹脂が好ましく、特にナイロン６／１２が好ましい。更に、ナイロン６／１２にガラスフィラーを３分の１程度充填した樹脂（流れ方向の成形収縮率０．２％，直角方向の成形収縮率０．３％，線膨張率２．３×１０−５ｃｍ／ｃｍ℃）が好ましい。
【００４７】
樹脂３０は、図１に示すとおり、点火器１０を固定できるように、金属製カラー２０内の円筒状突起部２４と環状突起部２６で囲まれた空間内に充填されている。
【００４８】
樹脂３０は、円筒状突起部２４に設けられた筒状段差部２５を含む金属製カラー２０の外側にも充填されているが、筒状突起部２４の外表面２４ａ、カラー本体部２２の外表面、スカート部２８の外表面は樹脂で被覆されていない。筒状突起部２４の外表面２４ａと樹脂３０の外表面３０ａは、軸方向に略面一となっている、即ち軸方向に実質的に段差のない同一平面を形成している。
【００４９】
樹脂３０は、環状突起部２６に設けられた環状段差部２７の段差天井面２７ａと段差垂壁面２７ｂで囲まれる空間にも充填されている。このようにすることで、樹脂３０が金属製カラー２０から抜けることが防止される。
【００５０】
カラー本体部２２、環状突起部２６及びスカート部２８により、導電ピン１３、１４に接続するコネクタを嵌め込むための空間４０が形成されている。樹脂３０の環状突起部２６側の面３１は、空間４０を確保できるような形状（好ましくは平坦面）にされている。
【００５１】
次に、図１及び図２により、上記した、金属製カラー２０内面と樹脂３０との間に間隙が生じさせないようにする第１の作用と、充填した樹脂３０が金属製カラー２０から脱落しないようにする第２の作用について説明する。
【００５２】
樹脂を射出成形手段により充填するとき、図面上方から、点火器１０と金属製カラー２０の間隙に溶融状態のものを図１の状態になるように充填する。
【００５３】
充填後、硬化して行く過程で、樹脂３０は中心側方向（図２中の矢印方向）に収縮するので、円筒状突起部２４及び環状突起部２６の内表面と樹脂３０との界面５０に間隙が生じることがある。
【００５４】
一方、樹脂３０が中心側方向に収縮するとき、筒状段差部２５の段差垂壁面２５ｂと樹脂３０との界面５１は、収縮する樹脂により押圧されることになり、環状段差部２７の段差天井面２７ｂと樹脂３０との界面５２は、収縮する樹脂により押圧されることになる。このため、樹脂の収縮により、界面５０に間隙が生じた場合であっても、界面５１及び界面５２に間隙が生じることが防止されるので、湿気の侵入を生じるような連続した間隙の形成が防止されるので、第１の作用が発揮される。
【００５５】
また、使用環境の温度変化により樹脂３０が熱膨張するような事態が生じた場合、今度は界面５１及び界面５２に間隙が生じる恐れがあるが、逆に樹脂３０により金属製カラー２０の内面が押圧されるので界面５０に間隙が生じることがないし、使用環境の温度変化により樹脂３０が収縮するときは上記のとおりであるから、いずれの場合であっても第１の作用が発揮される。
【００５６】
点火器組立体１を自動車用エアバッグシステムに使用するエアバッグ用ガス発生器に取り付けたとき、車両走行時には振動が加えられることになるが、樹脂３０は円筒状突起部２５において係止されており、更に環状突起部２６は樹脂３０により上下から挟み付けられているので第２の作用が発揮される。
【００５７】
以上のとおり、点火器組立体１では、第１及び第２の作用が発揮される結果、点火器組立体１をエアバッグ用ガス発生器に適用したとき、内部に湿気が侵入することが防止されると共に、樹脂３０の脱落が防止されるので、長期間にわたって作動の確実性が維持される。
【００５８】
（２）実施の形態２
図３により、点火器組立体の他実施形態を説明する。図３は、点火器組立体の軸方向（縦方向）断面図である。図３で示す点火器組立体１は、図１で示す点火器組立体１における筒状段差部２５の替わりに環状斜面２５が設けられている点で異なるのみであり、図１の点火器組立体１と同じ作用をする。
【００５９】
樹脂が硬化して行く過程の樹脂の収縮により、図２で示す界面５０に間隙が生じた場合、環状斜面２５と樹脂３０との界面（図２の界面５１に相当する界面）は、収縮する樹脂により押圧されることになる。このため、樹脂の収縮により、界面５０間に間隙が生じた場合であっても、界面５１に間隙が生じることが防止されるので、第１の作用が発揮される。
【００６０】
なお、図１及び図３において、環状段差部２７は、段差天井面２７ａと段差垂壁面２７ｂとの組み合わせに替えて、環状斜面２５のような環状斜面にすることができる。この場合の環状斜面は、環状段差部２７と同様の作用をする。
【００６１】
また図３では、環状斜面２５はＲの付いた円弧面であるが、図１の段差底面２５ａと段差垂壁面２５ｂの少なくとも一方を有した上で、更に円弧面を形成したものであっても良い。環状段差部２７も同様の形状にすることができる。
【００６２】
（３）実施の形態３
次に、図１、図３に示す点火器組立体の他の実施形態について説明する。図１、図３に示す点火器組立体１において、金属製カラー２０を、樹脂の射出成形手段による射出圧力を受けて僅かに変形するような強度を有するものにすると共に、樹脂の射出条件を設定することで、第１の作用を発揮できる点火器組立体を得ることができる。以下、図１により説明する。
【００６３】
図１において、カラー本体部２２から軸方向上側に延びた円筒状突起部２４（筒状段差部２５を含む）と、カラー本体部２２から半径方向内側に延びた環状突起部２６（環状段差部２７を含む）を含む金属製カラー２０は、アルミニウム又はアルミニウム合金製であり、樹脂３０の射出成形時に加えられる射出圧力９Ｍｐａ以上で僅かに変形するものである。
【００６４】
点火器組立体の製造工程において、点火器１０と金属製カラー２０との間の間隙に射出圧力９ＭＰａ以上で溶融樹脂を充填したとき、射出圧力を受けた円筒状突起部２４は、半径方向外側に僅かに押し広げられるように変形し、同様に環状突起部２６は、軸方向下側に僅かに押し下げられるように変形する。
【００６５】
充填終了後、射出圧力と同じ９ＭＰａ以上の保圧を加えた状態で樹脂の硬化を完了させる。このように保圧を加えることで、樹脂が収縮するときに縮んだ体積分だけ樹脂が供給されることになる。
【００６６】
このような樹脂の充填から硬化完了までの過程において、樹脂３０は図２に示すように収縮する。一方、変形した円筒状突起部２４には、半径方向内側に戻ろうとする復元力が生じ、環状突起部２６には、軸方向上側に戻ろうとする復元力が生じる。
【００６７】
このため、樹脂の収縮により界面５０に間隙が生じたとき、円筒状突起部２４の復元力及び環状突起部２６の復元力は、それぞれ前記間隙を塞ぐように作用するので、第１の作用が発揮される。その結果、点火器組立体１をエアバッグ用ガス発生器に適用したとき、内部に湿気が侵入することが防止される
このように金属製カラー２０の強度と、樹脂の射出成形条件を設定することにより得られた点火器組立体１は、ＪＩＳ  Ｚ２３３１で規定されたヘリウムリーク量が１×１０−６Ｐａ・ｍ３／ｓ（ａｉｒ換算）未満のものである。
【００６８】
なお、樹脂の射出圧力、保圧によって第１の作用を発揮する上においては、図１及び図３の筒状段差部２５は必須ではなく、環状突起部２６が存在することが必要である。但し、筒状段差部２５が存在すると、第１の作用がより発揮され易くなるので好ましく、環状段差部２７を設けることで、第２の作用が発揮されるので好ましい。
【００６９】
（４）応用実施形態
図１又は図３で示す点火器組立体１を適用したエアバッグ用ガス発生器の実施形態を図４により説明する。
【００７０】
このガス発生器は、ガス排出口１０４を有するディフューザシェル１０１と、ディフューザシェル１０１を閉塞するクロージャシェル１０２とを組み合わせてハウジング１０３を形成している。
【００７１】
ハウジング１０３内に、点火器組立体１を含んで構成された点火手段と、点火手段の作動によって着火・燃焼され、エアバッグ（袋体）を膨張させるための作動ガスを発生させるガス発生剤１０５と、そしてガス発生剤１０５の燃焼により発生した作動ガスを浄化及び／又は冷却するフィルター手段１０６が収容されている。
【００７２】
ハウジング１０３内の中心には、周壁に複数の伝火孔１０７を設けた内筒部材１０８が配置されており、この内筒部材１０８の内側には、点火手段を収容する空間１０９が形成され、半径方向外側にはガス発生剤１０５を収容する燃焼室１１０が形成されている。
【００７３】
ガス発生器の点火手段は、点火器組立体１と、点火器組立体１の作動によって着火・燃焼し、ガス発生剤を着火するための火炎を伝火孔１０７から噴出する伝火薬１１１とで構成されている。この内、点火器組立体１は、内筒部材１０８の下方に固定されている。内筒部材１０８と、点火器組立体１との組み合わせは、内筒部材１０８の開口端部１１２側をかしめて、点火器組立体１の金属製カラー２０を固定する方法による。内筒部材１０８は、点火器組立体１が収容された側の開口端部１１２が、クロージャシェル１０２に対して溶接により接続されている。
【００７４】
燃焼室１１０内にはガス発生剤１０５が収容され、その外側にはガス発生剤１０５の燃焼によって発生した作動ガスを浄化及び／又は冷却するためのフィルター手段１０６が配置されている。このフィルター手段１０６は、積層金網等を用いて筒状に形成されており、フィルター手段１０６の外表面とハウジング１０３の内表面との間にはガス流路となる間隙が形成され、これによりフィルター手段１０６の全面利用が実現する。このフィルター手段１０６の外表面は多孔円筒状のパンチングプレート１１４で支持され、半径方向外側への膨出が抑止される。
【００７５】
符号１１６は略リング状に形成されたアンダープレートを示しており、これは燃焼室１１０内においてガス発生剤１０５を支持する役割を果たす。
【００７６】
図４に示すエアバッグ用ガス発生器において、点火器組立体１が作動すると、その近傍に配置された伝火薬１１１が着火・燃焼し、その火炎を内筒部材１０８に形成された伝火孔１０７から燃焼室１１０内に噴出する。この火炎により燃焼室１１０内のガス発生剤１０５は着火・燃焼し、作動ガスを発生させる。この作動ガスはフィルター手段１０６を通過する間に浄化及び／又は冷却され、ガス排出口１０４を閉塞するシールテープ１１５を破って、ガス排出口１０４から排出される。
【００７７】
点火器組立体１は、上記のとおり、第１及び第２の作用を発揮するため、点火器組立体１からエアバッグ用ガス発生器内部に湿気が侵入することが防止等されるため、長期間にわたって作動の確実性が維持される。
【００７８】
【発明の効果】
本発明によれば、点火器組立体の製造コストを上昇させることなく、点火器組立体を経由した湿気の侵入が防止できる。そして、この点火器組立体を用いたガス発生器では、点火器組立体を経由した湿気の通過が阻止できることから、ガス発生剤（火薬）の吸湿・劣化が効果的に阻止でき、長年の使用によっても初期性能を維持できるガス発生器が実現する。
【図面の簡単な説明】
【図１】点火器組立体を示す縦断面図。
【図２】図１の点火器組立体の作用を説明するための図。
【図３】点火器組立体の他実施形態を示す縦断面図。
【図４】点火器組立体を用いたエアバッグ用ガス発生器を示す縦断面図。
【符号の説明】
１  点火器組立体
１０  点火器
２０  金属製カラー
２２  カラー本体部
２４  筒状突起部
２６  環状突起部
２８  スカート部
３０  樹脂
【図１】
2004293835.tif 000003
【図２】
2004293835.tif 000004
【図３】
2004293835.tif 000005
【図４】
2004293835.tif 000006